(57)【要約】【課題】  お茶等の飲み物をペットボトルに入れて外出時に持っていきたい場合、ペットボトルの中で手軽に飲み物をつくることができるティーバッグを作る。【解決手段】  ペットボトルの口から出し入れができるサイズの細長い袋または筒状体を両端で斜めに切断し、中に茶葉を入れて両端を接着したティーバッグを提供する。これをペットボトルに入れて湯水を注げば、簡単にお茶を抽出することができるようにした。またティーバッグの端をペットボトルの口部のところにはさんで吊るせば、ティーバッグをいつでも取り出すことができ、お茶の濃さを自由に調節することができる。【選択図】  図３
2006052007.tif 000002
【特許請求の範囲】
【請求項１】
胴体部分の断面積がペットボトルの口部内側の断面積以下である細長い袋または筒状体の両端部を軸線方向に対して斜めに切断し、飲料用原材料を入れ両切断部分を接着したことを特徴とするペットボトル用ティーバッグ。
【請求項２】
細長い袋または筒状体の両端部を軸線方向に対して直角に切断し、一方の切断部分を接着後に飲料用原材料を入れ、他方の切断部分を既接着部分に対して９０度立体的に交差させて接着したことを特徴とする請求項１記載のペットボトル用ティーバッグ。
【発明の詳細な説明】
【技術分野】
【０００１】  この発明は、ペットボトルの中に入れて使用するティーバッグに関するものである。
【背景技術】
【０００２】  本発明はペットボトル用ティーバッグに関するものであるが、必ずしもお茶だけを対象としたティーバッグではなく、多数の飲料に適用可能なものである。理解しやすくするために、ここではお茶を入れるティーバッグという前提で説明を進めていくこととする。【０００３】  ペットボトル入り飲料は、片手で持って飲める適度なサイズ、何回でも小分けして飲むことができるキャップ付き、落としても割れない軽量の材質など数々の利点から、近年外出時にこれを携帯して持ち歩く人が増えてきている。この他ペットボトルの便利な点としては、中味を飲み終わったあと、空の容器に自分でつくった好みのお茶などの飲料を入れて何回でも使える点があげられ、これがペットボトル飲料の静かなブームの源泉ともなっている。しかし、ペットボトルの空容器にお茶を入れる場合、急須を使えば問題ないが、ティーバッグを直接ペットボトルに入れてお茶をつくろうとすると、ティーバッグが大きすぎてペットボトルの口から入りにくいという問題がある。【０００４】  現在市販されているティーバッグは、四角形の平板状のもの、ピラミッド形の立体的なもの、またはそれらにヒモを付けたものがほとんどであり、こうした市販品のティーバッグをペットボトルに入れるときには、乾燥していて柔軟性があるため押し込めば何とか入るが、飲み終わって取り出したいときには、ティーバッグが湯水を吸って膨らむためペットボトルから取り出すのに困難が伴う。【０００５】  実開平５−７２７６８号公報掲載の「ボトル用ティーバッグ」は、ペットボトルの口から入れられる大きさを持った筒状ティーバッグの一端に、つまみ付きの糸を付けたものである。このティーバッグはペットボトル用のティーバッグとしての機能は備えているが、つまみ付きの糸を付ける点でコストアップが問題である。【０００６】  特開２００３−２４６３６５号公報掲載の「ペットボトル用スティック状ティーバッグ」では、ティーバッグを筒状にし一端にタブ付きの糸を取り付けたもの、タブの変わりにペットボトルのキャップに嵌めこむ円盤状の板に糸を付けたもの、およびペットボトルの口部分に帽子型の嵌め込み器具をセットして糸を付けたものが提案されている。たしかにペットボトル用のティーバッグとしての機能は備えているが、ティーバッグの付属部品がコストアップ要因となり、またティーバッグ一個使用するごとに捨てる資材も多く、大切な資源の浪費となり好ましくない。【０００７】  特開２００３−３４３６０号公報掲載の「棒型のティーバッグ」は、糸付きの細長いティーバッグの内部を水溶性ののりで二分割し、一方に茶葉を入れてお湯を注ぐことにより茶葉が膨らみのりが溶けて内部スペースが広がってお茶が出やすくなるというアイデアである。この提案では、使用するのりが湯水の中に溶け出すため、飲用による人体への影響がないかどうか、またお茶の味への影響がないかどうか、その安全性が懸念されるところである。
【発明の開示】
【発明が解決しようとする課題】
【０００８】  ペットボトル容器は安価で軽量、落としても割れない、キャップを締めておけば一度ならず何度でも小分けして飲めるなどの利点があり、最近は、購入したペットボトル飲料を飲み終わった後、空になった容器に別の飲み物を入れて外出時や車の運転中に飲むといったペットボトルのファンが多くなってきているのが現実である。これと逆に、一度飲めばペットボトルを捨ててしまうという人も多く、資源を大切にする観点からすれば、空容器の再利用をさらに促すアイデアが望まれるところである。【０００９】  ペットボトル内に茶葉を直接入れてお茶をつくれば、おいしいお茶が手っ取り早くできて一見便利なように思えるが、入れるときに茶葉がこぼれやすい、一回の適量がわからない、飲むときに茶葉が口のところまで入り込んできてわずらわしい、途中で茶葉を取り出すことができない、などの問題点がある。この問題を解決するためには、ペットボトル用のティーバッグを開発することが最良であり、ティーバッグを直接ペットボトルの中に入れてお茶をつくり、飲み終わったら使用済みのティーバッグを取り出し、また次のティーバッグを入れて何回でもお茶をつくることができる点と、コスト、資源節約を考慮した商品であることが求められる。また、ペットボトルの中に入れたティーバッグをいつでも取り出すことができ、飲料の濃さを調節できることも重要な点である。
【課題を解決するための手段】
【００１０】  上記の目的を達成するために請求項１に記載の発明は、ティーバッグ胴体部分の断面積がペットボトルの口部内側の断面積以下である細長い袋または筒状体の両端部を軸線方向に対して斜めに切断し、飲料用原材料を入れた後に両切断部分を接着したことを特徴とするペットボトル用ティーバッグを提供するものである。【００１１】  ティーバッグの材質は、紙、化学繊維、綿等の布、不織布またはそれらを組み合わせた材質など通水性を有するすべてを含む。【００１２】  ティーバッグの中に入れる原材料としては、緑茶、ほうじ茶、ウーロン茶、紅茶、薬草茶、麦茶などのお茶類に限らず、粉末コーヒー、粉末ココア、粉末ジュース、砂糖、クリーム等、湯や水に溶かして飲用に供するものすべてに適用できる。【００１３】  ティーバッグには容器の袋または筒状体いっぱいに飲料用原材料を詰めず、湯水を吸収して茶葉その他の原材料が増量する分を考慮し、容器の６〜７割程度入れるようにするのが望ましい。【００１４】  ティーバッグをペットボトルに入れる場合、ティーバッグの先端部分をペットボトルの口部から外に出してキャップを締めることにより、ティーバッグはペットボトル内にぶら下がった状態になる。お茶等の飲料が濃く出すぎるのを防ぎたいときは、適当な時間を見計らって先端部分をつまみティーバッグを取り出すことにより対応できる。【００１５】  ティーバッグの先端部分につまみ紙付きの糸をつけてペットボトル内に吊るすようにするのも一方法であるが、本発明によるティーバッグは斜め切断したティーバッグの先端部分が細長くとがっているため、糸を付けた場合と同じ機能を有し、先端部分をペットボトルの口元にはさむことにより、いつでもティーバッグを取り出すことが可能である。糸付きのティーバッグと比べて加工が簡単でコストも安く作成できる点が優れている。【００１６】  ティーバッグの大きさは、胴体部分の断面積がペットボトルの口部内側の断面積以内としているため、ペットボトルに出し入れする上での支障はない。斜めに切断した先端から先端までの長さは１５センチ前後が適当と思われるが、中に詰める原材料の種類や形により必ずしもその長さにこだわることはない。切断する角度も、ティーバッグの軸線と直角に交わる線に対して６０度程度がよいと思われるが、ペットボトルのキャップにはさむことができ、ペットボトルから取り出すことができれば、必ずしもこれに固執する必要はない。【００１７】  請求項２に記載の発明は、細長い袋または筒状体の両端部を軸線方向に対して直角に切断し、一方の切断部分を接着後に飲料用原材料を入れ、他方の切断部分を既接着部分に対して９０度立体的に交差させて接着したことを特徴とするペットボトル用ティーバッグで、ティーバッグ胴体部分の断面積は請求項１に記載のティーバッグと同じである。【００１８】  このティーバッグは両端部分が９０度ねじれた状態で接着されており、したがって内部に空間ができるため通常の平たいティーバッグに比べて内部への湯水の浸透がよいうえ、中で茶葉が湯水に十分に触れて開きやすく、お茶がよく出るという利点がある。【００１９】  ティーバッグの中に入れる茶葉の量は、袋の容量に対して余裕がある方が茶葉が開きやすいし���また先端部をペットボトルのキャップにはさんでティーバッグをペットボトルの中に吊るす場合があり得るため、１５センチ前後の長さは必要である。中に入れる茶葉の量が少なく、かつティーバッグの長さを短くする場合には、ティーバッグにつまみ紙付の糸を付けることも可能である。
【発明の効果】  本発明のペットボトル用ティーバッグは、以上に説明したような構成からなり、以下に記載する効果が期待できる。【００２０】  現在販売されているペットボトル入りのお茶は、飲む段階では飲料製造後かなりの日数がたっているのが通常であり、その分味や香り、色などの点で必ずしも満足できるものではない。その点、本発明のペットボトル用ティーバッグは乾燥した茶葉を使用してその場でお茶を抽出し、抽出後すぐ、遅れても製造後１〜２日以内で飲む場合がほとんどとみられるため、味などの点では十分満足できる飲み物をつくることができる。【００２１】  本発明は、ペットボトルに直接入れてお茶その他の飲み物をつくる目的で考案された細長いティーバッグであり、前述した３件の出願内容であるつまみ付きの糸をつけたティーバッグとは異なり、請求項１および２の発明とも、糸などの付属品が不要なティーバッグである点が特長である。すなわち、斜め切断ティーバッグの斜めに切断されてとがった先端部分や原材料が詰まっていない余裕部分の袋がつまみ付き糸と同じ役割を果たすため、糸等を付ける必要がなく製造が簡単、かつ省資源とコストダウンを同時にはかることができるものである。【００２２】  ティーバッグをペットボトルの中に長時間入れておきお茶が濃くなりすぎるおそれがあるときは、適当な時間経過後にティーバッグを外に取り出す必要がある。その場合はティーバッグをペットボトルの中に完全に入れてしまわないで、ペットボトルの口部にティーバッグの先端部を引っ掛けてキャップをすることで、好みの濃さになったときにティーバッグの先端部をつまんで取り出すことができる。【００２３】  ティーバッグを完全にペットボトルの中まで入れた場合は、お茶を飲み終えた後、ペットボトルを逆さにして軽く振ることにより、細長い形状のティーバッグを容易に取り出すこともできるし、ティーバッグはそのまま入れておき、湯水を足すだけで二煎目のお茶をつくることもできる。
【発明を実施するための最良の形態】
【００２４】  以下、本発明を実施するための最良の形態について、図１〜４を参照にして説明する。【００２５】  図１に示す細長い袋のティーバッグ１は、軸線方向に対し両端を斜めに切断し、中に茶葉３を入れて斜め切断面２を接着したものである。ティーバッグ１内には茶葉３がティーバッグ１の容量に対して６〜７割入っており、ティーバッグ１内に３〜４割の空間があるため、湯水を注ぐと茶葉３が水を吸収して開き、おいしい味のお茶を抽出することができる。【００２６】  図２に示す細長い袋のティーバッグ１は、両端を軸線方向に対して直角に切断し、茶葉３を入れ、一端の直角切断面４を他端の直角切断面４に対して９０度立体的に交差させて接着したもので、ティーバッグ１内に空間ができるため、湯水を注ぐと茶葉３が十分に吸水して開きやすくなりお茶がよく出る。【００２７】  図３は請求項１のティーバッグ１の斜め切断面２の一部をペットボトル５の口部にはさんで中に吊るし、キャップ６を締めた状態を示す。この状態で、ペットボトル５を逆さにしてティーバッグ１を完全に湯水７に浸し、軽く振ることによりお茶が出やすくなる。ある程度お茶が抽出され、それ以上抽出が進み濃くなりすぎるのを好まないときは、斜め切断面２をつまんでペットボトル５からティーバッグ１を取り出せばよい。【００２８】  図４は請求項２のティーバッグ１を、ペットボトル５内の湯水７に完全に浸した状態を示す。この状態では、お茶を飲み終わる前にティーバッグ１を取り出すのは困難であるが、十分抽出されたお茶を飲みたい場合にはこの方法が適している。また、中のお茶を飲み終わり、さらにもう一回お茶をつくりたいときには、一煎目とは違った二煎目のお茶の味を楽しむこともできる。この場合は湯水をつぎ足すだけで用が済むので、手軽でもあり経済的でもある。【００２９】  暑い時期などに冷たいお茶をつくりたいときは、図３、図４のどちらの方法でも可能であるが、ペットボトル５にティーバッグ１を入れてお湯を三分の一ほど注ぐとお茶が濃く出るので、すぐに水や氷を加えて冷やしながら適度な濃さのお茶をつくる。こうすることで、お茶の味はもちろん、きれいな水色も長時間保つことが可能である。
【図面の簡単な説明】
【図１】  本発明の請求項１を示す正面図である。
【図２】  本発明の請求項２を示す斜視図である。
【図３】  本発明の請求項１の一実施例を示す正面図である。
【図４】  本発明の請求項２の一実施例を示す正面図である。
【符号の説明】
１・・・ティーバッグ
２・・・斜め切断面
３・・・茶葉
４・・・直角切断面
５・・・ペットボトル
６・・・キャップ
７・・・湯水
【図１】
2006052007.tif 000003
【図２】
2006052007.tif 000004
【図３】
2006052007.tif 000005
【図４】
2006052007.tif 000006